(57)【要約】【課題】接続バー５を保護し、かつ配線作業を容易に行うことができる保護カバー、ブレーカ、漏電検出装置、および漏電保護装置を提供する。【解決手段】保護カバー４は、ブレーカ２と接続バー５によってブレーカ２と電気的に接続される漏電検出装置３とが組み合わされてなり、漏電検出装置３に流れる電流を監視して漏電を検出すると、ブレーカ２を開極させるように構成される漏電保護装置１に用いられる保護カバーである。保護カバー４は、ブレーカ２および漏電検出装置３と別体に形成される。保護カバー４は、接続バー５においてブレーカ２および漏電検出装置３から露出する部分である露出部５１１を覆うカバー本体４１と、ブレーカ２と漏電検出装置３との少なくとも一方に取り付けられる取付部４２１，４２２とを備える。【選択図】図３
2017076554.tif 000002
【特許請求の範囲】
【請求項１】
ブレーカと接続バーによって前記ブレーカと電気的に接続される漏電検出装置とが組み合わされてなり、前記漏電検出装置に流れる電流を監視して漏電を検出すると、前記ブレーカを開極させるように構成される漏電保護装置に用いられる保護カバーであって、
前記ブレーカおよび前記漏電検出装置と別体に形成され、前記接続バーにおいて前記ブレーカおよび前記漏電検出装置から露出する部分である露出部を覆うカバー本体と、前記ブレーカと前記漏電検出装置との少なくとも一方に取り付けられる取付部とを備える
ことを特徴とする保護カバー。
【請求項２】
前記接続バーは、複数のバー片からなり、
前記ブレーカの前記カバー本体に覆われる部分に、前記複数のバー片が並んで配置され、
前記カバー本体には、前記露出部を覆った状態で前記複数のバー片の間を仕切る壁部が形成される
ことを特徴とする請求項１に記載の保護カバー。
【請求項３】
前記壁部には、前記複数のバー片のそれぞれを保持するバー片保持部が設けられる
ことを特徴とする請求項２に記載の保護カバー。
【請求項４】
前記バー片保持部は、前記壁部から突出する１つ以上の係止爪で構成される
ことを特徴とする請求項３に記載の保護カバー。
【請求項５】
請求項１〜４の何れか一項に記載の保護カバーが取り付けられるブレーカであって、前記取付部を保持するブレーカ側保持部を備える
ことを特徴とするブレーカ。
【請求項６】
請求項１〜４の何れか一項に記載の保護カバーが取り付けられる漏電検出装置であって、前記取付部を保持する検出装置側保持部を備える
ことを特徴とする漏電検出装置。
【請求項７】
請求項１〜４の何れか一項に記載の保護カバーと、前記ブレーカと、前記漏電検出装置とを備える
ことを特徴とする漏電保護装置。
【請求項８】
前記ブレーカは、前記取付部を保持するブレーカ側保持部を備える
ことを特徴とする請求項７に記載の漏電保護装置。
【請求項９】
前記漏電検出装置は、前記取付部を保持する検出装置側保持部を備える
ことを特徴とする請求項７または８に記載の漏電保護装置。
【発明の詳細な説明】
【技術分野】
【０００１】
本発明は、保護カバー、ブレーカ、漏電検出装置、および漏電保護装置に関し、特にブレーカと漏電検出装置とで構成される漏電保護装置に用いられる保護カバー、この保護カバーが取り付けられるブレーカと、漏電検出装置と、漏電保護装置に関する。
【背景技術】
【０００２】
従来例として、特許文献１記載の漏電ブレーカを例示する。従来、漏電を検知すると、電路を遮断する漏電ブレーカが提供されている。特許文献１に記載の漏電ブレーカは、住宅用分電盤などに使用される漏電ブレーカであって、漏電検知ブロックと、回路遮断ブロックとを連接して構成されている。
【先行技術文献】
【特許文献】
【０００３】
【特許文献１】特開２０１０−２５１２５１号公報
【発明の概要】
【発明が解決しようとする課題】
【０００４】
ところで、従来の漏電ブレーカによっては、漏電検知ブロックと、回路遮断ブロックとを接続する接続バーが筐体から露出して配線されている場合がある。このような漏電ブレーカにおいて、接続バーが常に筐体から露出した状態で設置されていると、使用者などが接続バーに直接触れてしまう可能性がある。また、従来、使用者などから接続バーの接続および接続状態の確認を容易に行える漏電ブレーカが要望されていた。そこで、使用者などが接続バーに直接触れることができず、かつ接続バーの接続および接続状態の確認が容易に行うことができる漏電ブレーカが要望されている。
【０００５】
本発明は、上記事由に鑑みてなされており、接続バーを保護し、かつ配線作業を容易に行うことができる保護カバー、ブレーカ、漏電検出装置、および漏電保護装置を提供することを目的とする。
【課題を解決するための手段】
【０００６】
本発明の保護カバーは、ブレーカと接続バーによって前記ブレーカと電気的に接続される漏電検出装置とが組み合わされてなり、前記漏電検出装置に流れる電流を監視して漏電を検出すると、前記ブレーカを開極させるように構成される漏電保護装置に用いられる保護カバーであって、前記ブレーカおよび前記漏電検出装置と別体に形成され、前記接続バーにおいて前記ブレーカおよび前記漏電検出装置から露出する部分である露出部を覆うカバー本体と、前記ブレーカと前記漏電検出装置との少なくとも一方に取り付けられる取付部とを備えることを特徴とする。
【０００７】
本発明のブレーカは、上述の保護カバーが取り付けられるブレーカであって、前記取付部を保持するブレーカ側保持部を備えることを特徴とする。
【０００８】
本発明の漏電検出装置は、上述の保護カバーが取り付けられる漏電検出装置であって、前記取付部を保持する検出装置側保持部を備えることを特徴とする。
【０００９】
本発明の漏電保護装置は、上述の保護カバーと、前記ブレーカと、前記漏電検出装置とを備えることを特徴とする。
【発明の効果】
【００１０】
本発明の保護カバー、ブレーカ、漏電検出装置、および漏電保護装置は、接続バーを保護し、かつ配線作業を容易に行うことができるという効果がある。
【図面の簡単な説明】
【００１１】
【図１】本実施形態に係る漏電保護装置を示す斜視図である。
【図２】本実施形態に係る漏電保護装置を示し、後側から見た斜視図である。
【図３】本実施形態に係る漏電保護装置を示し、保護カバーを外した状態の斜視図である。
【図４】本実施形態に係るブレーカを示す斜視図である。
【図５】本実施形態に係る漏電検出装置の要部を示す平面図である。
【図６】本実施形態に係る漏電検出装置を示す斜視図である。
【図７】本実施形態に係る接続バーの配置を示す平面図である。
【図８】本実施形態に係る保護カバーを示し、裏面側から見た斜視図である。
【図９】本実施形態に係る漏電検出装置の要部を示す斜視図である。
【図１０】本実施形態に係る漏電検出装置と保護カバーを示す後側から見た斜視図である。
【発明を実施するための形態】
【００１２】
以下、本発明に係る実施形態について、図面を参照にして詳細に説明する。なお、以下の説明で特に断りがない限り、図１に示す向きにおいて、左右方向、上下方向、および前後方向を規定するが、使用形態を限定する趣旨ではない。
【００１３】
本実施形態の漏電保護装置１は、住宅などに設置され、系統電源と負荷との間の電路において、負荷側の漏電を検出すると、当該電路を遮断するように構成されている。
【００１４】
漏電保護装置１は、図１に示すように、ブレーカ２と、漏電検出装置３と、保護カバー４とで構成される。
【００１５】
ブレーカ２は、図２〜図４に示すように、ブレーカ筐体２１と、ブレーカ筐体２１の後側に設けられる複数の一次側端子部２２（図示では４つ）（図２参照）と、ブレーカ筐体２１の前側に設けられる複数の二次側端子部２３（図示では４つ）（図３参照）とを備える。さらに、ブレーカ２は、ブレーカ筐体２１の上部に設けられるハンドル２５と、連動ピン２６と、ブレーカ筐体２１内に設けられる接点部とを備える（図４参照）。
【００１６】
ブレーカ筐体２１は、図３に示すように、樹脂製の材料によって、左右方向から見て凸型に形成されている。ブレーカ筐体２１の下面には、ブレーカ２がＤＩＮレールなどに取り付けられるための凹部２１１が設けられる。また、ブレーカ筐体２１の下部には、２つの操作片２１２が設けられる。２つの操作片２１２は、ブレーカ筐体２１の前面から一部突出するように形成される。２つの操作片２１２が、例えば前側に引っ張られるなどの操作が行われることで、ブレーカ２は、ＤＩＮレールに係止された状態から解除される。
【００１７】
複数の一次側端子部２２のそれぞれは、図２に示すように、挿通孔２２１と、端子ねじ２２２と、ねじ挿通孔２２３とを備えており、さらに端子板および端子金具も有している。複数の一次側端子部２２のそれぞれには、系統電源側の電路（４線の電源ケーブル）が接続される。つまり、複数の挿通孔２２１には、対応する当該電源ケーブルのそれぞれの一端が挿通される。当該電源ケーブルのそれぞれは、ねじ挿通孔２２３に挿通されている端子ねじ２２２が締め込まれることによって、端子金具と端子板との間に挟み込まれて一次側端子部２２に固定される。このようにして、ブレーカ２は、系統電源と電気的に接続される。
【００１８】
複数の二次側端子部２３のそれぞれは、図３に示すように、挿通孔２３１と、端子ねじ２３２と、ねじ挿通孔２３３とを備えており、さらに端子板および端子金具も有している。複数の二次側端子部２３のそれぞれには、後に説明する接続バー５のバー片５１（図示では４本）のそれぞれが接続される。バー片５１のそれぞれの一端５１ａは、対応する挿通孔２３１に挿通され、ねじ挿通孔２３３に挿通されている端子ねじ２３２が締め込まれることによって、端子金具と端子板との間に挟み込まれて二次側端子部２３に固定される。
【００１９】
接点部は、一次側端子部２２と二次側端子部２３との間に設けられ、開極または閉極することで一次側端子部２２と二次側端子部２３との間の電路を導通または遮断するように構成される。
【００２０】
ブレーカ２は、接点部を強制的に開極してトリップさせるトリップ機構をさらに備える。
【００２１】
ハンドル２５は、ブレーカ２の上部に設けられ、操作片２５１を備える。操作片２５１は、前後方向に操作可能に構成される。接点部は、操作片２５１が前後方向に操作されることで、開極の状態（開極状態）から閉極の状態（閉極状態）へ、または閉極状態から開極状態へ切り換えられる。なお、本実施形態のブレーカ２において、操作片２５１が前側に位置している場合を、開極状態（電路が遮断している状態）とする。また、操作片２５１が後側に位置している場合を、閉極状態（電路が導通している状態）とする。
【００２２】
連動ピン２６は、図４に示すように、一端側がブレーカ筐体２１の外側に露出するように、他端側がブレーカ筐体２１の内部に組み込まれている。連動ピン２６は、左右方向を回転軸として回転移動することで、トリップ機構のラッチ状態を解除する。
【００２３】
漏電検出装置３は、図１、図５〜図７に示すように、検出装置筐体３１と、検出装置筐体３１に設けられる負荷側端子部３２と、漏電検出部３３と、駆動部３７と、接続バー５と、係止片３４と、２つの引掛片３５と、ハンドル３６とを備える。
【００２４】
検出装置筐体３１は、図１に示すように、樹脂製の材料によって、左右方向から見て凸型に形成されている。検出装置筐体３１の下面には、漏電検出装置３をＤＩＮレールなどに取り付けるための凹部３１１が設けられる。また、検出装置筐体３１の下部には、操作片３１２が設けられる。操作片３１２は、検出装置筐体３１の前面から一部突出するように形成される。操作片３１２が、例えば前側に引っ張られるなどの操作が行われることで、漏電検出装置３は、ＤＩＮレールに係止された状態から解除される。
【００２５】
負荷側端子部３２（図示では４つ）は、図５および図６に示すように、検出装置筐体３１の前側に形成され、挿通孔３２１と、端子ねじ３２２と、端子板３２３と、ねじ挿通孔３２４とを備えており、さらに端子金具も有する。負荷側端子部３２は、ケーブル（４本）を介して例えば分岐ブレーカに電気的に接続される。当該ケーブルのそれぞれの一端は、対応する挿通孔３２１に挿入され、ねじ挿通孔３２４に挿通される端子ねじ３２２が締め込まれることによって、端子金具と端子板３２３との間に挟み込まれて負荷側端子部３２に固定される。
【００２６】
接続バー５は、図６に示すように、電気伝導性を有する材料によって棒状に形成された複数のバー片５１（図示では４本）で構成される。４本のバー片５１のそれぞれは、図７に示すように、検出装置筐体３１の内部に配設されている部分がＵ字状に形成され、検出装置筐体３１の前面から外部に配出される。４本のバー片５１のそれぞれは、他端５１ｂが対応する端子板３２３に溶着されることで、負荷側端子部３２と電気的に接続される。４つのバー片５１のそれぞれは、図３および図６に示すように、一端５１ａが二次側端子部２３に接続されている状態で、検出装置筐体３１およびブレーカ筐体２１の外側に配設される露出部５１１を有する。このとき、露出部５１１は、上下方向に、それぞれの間に隙間が生じるように並んで配置される。さらに、４本のバー片５１のそれぞれは、一端５１ａ側が対応する挿通孔２３１に挿通されるように、左右方向において異なる場所で後方向に折れ曲がるように形成される。
【００２７】
漏電検出部３３は、図５に示すように、零相変流器（ＺＣＴ）（Zero phase Current Transformer）３３１、２つの基板３３２などによって構成される。ＺＣＴ３３１は、コアの中心にケーブルが通され、漏電が生じると二次巻線に電圧が発生するように構成されている。つまり、接続バー５がＺＣＴ３３１のコアの中心に通され、負荷側に漏電が生じた場合、二次巻線には電圧が発生する。基板３３２には、少なくとも、二次巻線に発生した電圧を増幅するための回路部品が実装されている。
【００２８】
駆動部３７は、連動リンクを有する。連動リンクには、連動ピン２６の一端側が挿入される挿入孔が設けられている。駆動部３７は、漏電検出部３３が漏電を検出すると、基板３３２に実装される回路部品などによって増幅された当該電圧によって、連動リンクを回転させるように構成されている。駆動部３７は、連動リンクを回転させることで、連動ピン２６も同様に回転させるように構成されている。
【００２９】
ハンドル３６は、図６に示すように、検出装置筐体３１の上部に設けられ、操作片３６１と、操作片２５１に設けられる孔に差し込まれるピン３６２とを備える。操作片３６１は、操作片２５１が前後方向に操作されると、操作片２５１の動きと連動するように構成される。
【００３０】
係止片３４は、検出装置筐体３１の左側の側面３１３、つまり、ブレーカ２と接する面から突出し、先端にブレーカ２に形成される係止溝に係り合う係止爪３４１が形成されている。
【００３１】
また、２つの引掛片３５は、検出装置筐体３１の左側の側面３１３、つまり、ブレーカ２と接する面に形成され、ブレーカ２に形成される引掛孔に引掛けられる。
【００３２】
漏電検出装置３は、係止片３４と２つの引掛片３５とによって、ブレーカ２に取り付けられる。
【００３３】
ところで、前側に位置している操作片２５１が後側に操作されると、接点部は、開極している状態から閉極する状態へ切り換えられることができる。つまり、操作片２５１を前側から後側へ操作されると、電路が遮断状態から導通状態に切り替わる。電路が導通している状態において、負荷側で漏電が発生すると、漏電検出部３３が漏電を検出する。漏電検出部３３が漏電を検出すると、駆動部３７が左右方向を回転軸とし、左側から見て時計回りに連動リンクを回転させることで連動ピン２６を連動リンクと同様に回転させる（図４参照）。連動ピン２６が回転することで、ブレーカ２に設けられているトリップ機構のラッチ状態が解除される。トリップ機構のラッチ状態が解除されることで、接点部が開極して一次側端子部２２と二次側端子部２３との間の電路は遮断される。このとき、操作片２５１は、後側から前側へ移動し、操作片３６１も後側から前側へ移動する。
【００３４】
ここで、電路を遮断状態から導通状態に戻す場合に、操作片２５１が前側から後側に操作されることで、操作片３６１も操作片２５１に連動して前側から後側に移動する。操作片３６１が前側から後側に移動することで、駆動部３７が、左右方向を回転軸とし、左側から見て反時計回りに連動リンクを回転させることで、連動ピン２６を反時計回りに回転させる。このようにして、接点部は、開極状態から閉極状態に切り替わり、電路が導通する。
【００３５】
保護カバー４は、図１、図３、および図８に示すように、樹脂製の材料によって、検出装置筐体３１の前面と面一になるように断面がＬ字状に形成されるカバー本体４１を備える。保護カバー４は、ブレーカ筐体２１に取り付けるための２つの取付部４２１と、検出装置筐体３１に取り付けるための取付部４２２とをさらに備える。
【００３６】
保護カバー４は、ブレーカ２および漏電検出装置３と別体に形成され、露出部５１１と、二次側端子部２３のねじ挿通孔２３３の上方を覆うように形成される（図３参照）。なお、以下の説明において、露出部５１１および端子ねじ２３２のねじ頭と対向するカバー本体４１の面を裏面とする。
【００３７】
２つの取付部４２１は、図８に示すように、カバー本体４１の裏面上側に四角錐台に形成される。ブレーカ２は、２つの取付部４２１が保持されるブレーカ側保持部２４を備える。ブレーカ側保持部２４は、ねじ挿通孔２３３のうち左右方向の両端の２つである（図３参照）。２つの取付部４２１がブレーカ側保持部２４の縁に引掛けられることで、保護カバー４は、ブレーカ筐体２１に取り付けられて保持される。
【００３８】
取付部４２２は、図８に示すように、カバー本体４１の裏面下側から後方に突出するように形成される。取付部４２２の先端には、四角錐台の引掛部４２２ａが形成されている。漏電検出装置３は、図９に示すように、取付部４２２が取り付けられる検出装置側保持部３１４を備える。検出装置側保持部３１４は、引掛部４２２ａが引掛けられる引掛孔３１４ａを有する。引掛部４２２ａが引掛孔３１４ａに引掛けられることで、保護カバー４は、検出装置筐体３１に取り付けられて保持される。
【００３９】
カバー本体４１の裏面には、図８および図１０に示すように、露出部５１１を覆った状態で、露出部５１１の間を仕切る複数の壁部４１１が形成される。複数の壁部４１１のそれぞれは、露出部５１１のそれぞれに沿うように形成される。
【００４０】
さらに、複数の壁部４１１には、４本のバー片５１のそれぞれを保持するバー片保持部４３が設けられる。バー片保持部４３は、対向する一対の壁部４１１の一方（下方）の壁部４１１の先端（後端）から突出する第１保持爪４３１と他方（上方）の壁部４１１の先端（後端）から突出する一対の第２保持爪４３２とで構成される。４本のバー片５１のそれぞれは、第１保持爪４３１と一対の第２保持爪４３２によって、挟み込まれて保護カバー４に保持される。このように、バー片５１のそれぞれがカバー本体４１に保持されることで、保護カバー４がブレーカ２および漏電検出装置３から容易に外れないようになる。
【００４１】
このように、本実施形態の保護カバー４は、露出部５１１を覆うことで接続バー５を保護することが可能である。
【００４２】
ところで、従来、漏電検出装置に保護カバーが一体化されて形成されている漏電保護装置があった。このような一体型の保護カバーは、ブレーカと漏電検出装置が組み合わされた状態で作業者が接続バーを二次側端子部に結線できるように、上面が開閉自在に形成されていた。この場合、保護カバーと二次側端子部周辺のスペースが制限され、接続バーを前方に引っ張ることで、接続バーが二次側端子部に固定されているか否かを確認することが困難であった。
【００４３】
ここで、ブレーカ２および漏電検出装置３と別体に形成される本実施形態の保護カバー４を使用した場合の接続バー５の配線処理について説明する。
【００４４】
作業者は、バー片５１のそれぞれの他端５１ｂが予め端子板３２３に溶着されている漏電検出装置３をブレーカ２に、係止片３４および２つの引掛片３５を使用して接続する。そして、作業者は、バー片５１のそれぞれの一端５１ａを挿通孔２３１に挿通してねじ挿通孔２３３に挿通される端子ねじ２３２を締め込むことによって、バー片５１のそれぞれを二次側端子部２３固定する。次に作業者は、露出部５１１を前方に引っ張ることで、接続バー５が二次側端子部２３に固定されていることを確認する。このとき、露出部５１１の前方には保護カバー４がないので、作業者は、露出部５１１を容易に前方に引っ張ることができる。最後に、作業者は、２つの取付部４２１をブレーカ側保持部２４、および取付部４２２を検出装置側保持部３１４に取り付けることで、保護カバー４をブレーカ２および漏電検出装置３に取り付ける。
【００４５】
本実施形態の保護カバー４は、ブレーカ２および漏電検出装置３と別体に形成されているので、作業者は、露出部５１１を前方に引っ張ることができ、接続バー５が二次側端子部２３に固定されていることを容易に確認することができる。
【００４６】
なお、保護カバー４は、２つの取付部４２１と取付部４２２とのどちらか一方だけを備え、ブレーカ２と漏電検出装置３とのどちらか一方に取り付けられてもよい。
【００４７】
本実施形態の保護カバー４は、ブレーカ２と接続バー５によってブレーカ２と電気的に接続される漏電検出装置３とが組み合わされてなり、漏電検出装置３に流れる電流を監視して漏電を検出すると、ブレーカ２を開極させるように構成される漏電保護装置１に用いられる保護カバーである。保護カバー４は、ブレーカ２および漏電検出装置３と別体に形成される。保護カバー４は、接続バー５においてブレーカ２および漏電検出装置３から露出する部分である露出部５１１を覆うカバー本体４１と、ブレーカ２と漏電検出装置３との少なくとも一方に取り付けられる取付部４２１，４２２とを備える。
【００４８】
本実施形態の保護カバー４は、上述のように構成されるので、接続バー５を保護し、かつ配線作業を容易に行うことができる。
【００４９】
本実施形態の保護カバー４において、接続バー５は、複数のバー片５１からなり、ブレーカ２のカバー本体４１に覆われる部分に、複数のバー片５１が並んで配置されることが好ましい。カバー本体４１には、露出部５１１を覆った状態で複数のバー片５１の間を仕切る壁部４１１が形成されることが好ましい。
【００５０】
本実施形態の保護カバー４が上述のように構成されると、隣り合うバー片５１が接触することを防止することができる。
【００５１】
本実施形態の保護カバー４において、壁部４１１には、複数のバー片５１のそれぞれを保持するバー片保持部４３が設けられることが好ましい。
【００５２】
本実施形態の保護カバー４において、バー片保持部４３は、壁部４１１から突出する１つ以上の係止爪４３１，４３２で構成されることが好ましい。
【００５３】
本実施形態の保護カバー４が上述のように形成されると、バー片５１が保護カバー４に保持されることで、保護カバー４がブレーカ２および漏電検出装置３からより外れ難くすることができる。
【００５４】
本実施形態のブレーカ２は、保護カバー４が取り付けられるブレーカ２であって、取付部４２１を保持するブレーカ側保持部２４を備える。
【００５５】
本実施形態のブレーカ２は上述のように構成されるので、接続バー５を保護し、かつ配線作業を容易に行うことができる。さらに、保護カバー４がよりブレーカ２からより外れ難くなる。
【００５６】
本実施形態の漏電検出装置３は、保護カバー４が取り付けられる漏電検出装置３であって、取付部４２２を保持する検出装置側保持部３１４を備える。
【００５７】
本実施形態の漏電検出装置３は上述のように構成されるので、接続バー５を保護し、かつ配線作業を容易に行うことができる。さらに、保護カバー４がより漏電検出装置３からより外れ難くなる。
【００５８】
本実施形態の漏電保護装置１は、保護カバー４と、ブレーカ２と、漏電検出装置３とを備える。
【００５９】
本実施形態の漏電保護装置１は上述のように構成されるので、接続バー５を保護し、かつ配線作業を容易に行うことができる。
【００６０】
本実施形態の漏電保護装置１において、ブレーカ２は、取付部４２１を保持するブレーカ側保持部２４を備えることが好ましい。
【００６１】
本実施形態の漏電保護装置１が上述のように構成されると、保護カバー４がよりブレーカ２からより外れ難くなる。
【００６２】
本実施形態の漏電保護装置１において、漏電検出装置３は、取付部４２２を保持する検出装置側保持部３１４を備えることが好ましい。
【００６３】
本実施形態の漏電保護装置１が上述のように構成されると、保護カバー４がより漏電検出装置３からより外れ難くなる。
【符号の説明】
【００６４】
１  漏電保護装置
２  ブレーカ
２４  ブレーカ側保持部
３  漏電検出装置
３１４  検出装置側保持部
４  保護カバー
４１  カバー本体
４１１  壁部
４２１，４２２  取付部
４３  バー片保持部
４３１，４３２  係止爪
５  接続バー
５１  バー片
５１１  露出部
【図１】
2017076554.tif 000003
【図２】
2017076554.tif 000004
【図３】
2017076554.tif 000005
【図４】
2017076554.tif 000006
【図５】
2017076554.tif 000007
【図６】
2017076554.tif 000008
【図７】
2017076554.tif 000009
【図８】
2017076554.tif 000010
【図９】
2017076554.tif 000011
【図１０】
2017076554.tif 000012